(57)【要約】【課題】電線の引き回しが複雑とはならず組立性にも優れ、半田等の接着不良を招かないダウンライト器具を提供することを目的とする。【解決手段】放熱部材２０と、ＬＥＤ光源３０と受電端子部４０が実装されたＬＥＤ基板５０と、ＬＥＤ基板５０を放熱部材２０に固定する取り付け部材７０と、を有し、ＬＥＤ基板５０が、放熱部材２０と取り付け部材７０との間に挟み込まれるように固定される照明器具において、取り付け部材７０は、放熱部材２０を貫通する貫通部８０と、貫通部８０の一端に受電端子部４０に接触する給電端子部９０と、貫通部８０の他端に電源コネクタ１１０と接続され給電端子部９０と導通する電源接続部１００と、を有することを特徴とする照明器具。【選択図】図１
2015176707.tif 000002
【特許請求の範囲】
【請求項１】
放熱部材と、
ＬＥＤ光源と受電端子部が実装されたＬＥＤ基板と、
前記ＬＥＤ基板を前記放熱部材に固定する取り付け部材と、を有し、
前記ＬＥＤ基板が、前記放熱部材と前記取り付け部材との間に挟み込まれるように固定される照明器具において、
前記取り付け部材は、
前記放熱部材を貫通する貫通部と、
前記貫通部の一端に前記受電端子部に接触する給電端子部と、
前記貫通部の他端に電源コネクタと接続され前記給電端子部と導通する電源接続部と、
を有することを特徴とする照明器具。
【請求項２】
前記給電端子部は、前記ＬＥＤ基板を前記放熱部材側へと押し付ける方向に作用するバネ性を有していることを特徴とする請求項１記載の照明器具。
【請求項３】
前記貫通部には、前記放熱部と係合する係合部が設けられていることを特徴とする請求項１または２記載の照明器具。
【発明の詳細な説明】
【技術分野】
【０００１】
本発明は、照明器具に関するものである。
【背景技術】
【０００２】
図１に示すような、天井埋め込み式のダウンライト器具６がある。天井に設けられた取り付け穴１に対し、電源部２、放熱部材３、枠４からなる器具本体を、バネ５を折りたたみながら挿入することで、天井内部でバネ５が展開し、器具本体が取り付け穴１に固定される。
【０００３】
図２には、ダウンライト器具６の部品構成を示す。ＬＥＤ基板９は取り付け金具７により取り付けられ、ＬＥＤ基板９の発熱を放熱部材３へ伝えている。ＬＥＤ基板９への適合電源は電源部２で作られ、電線８によりＬＥＤ基板９へ供給されている。電線８は電源部２から一旦、放熱部材３の貫通穴を通過してＬＥＤ基板９に半田またはコネクタにより接続されている。
【０００４】
なお、特許文献１には、図１で示すものと類似するダウンライト照明器具が記載されている。
【先行技術文献】
【特許文献】
【０００５】
【特許文献１】特開２０１１−２１０６２２号公報
【発明の概要】
【発明が解決しようとする課題】
【０００６】
電源部２からＬＥＤ基板９へ電線８を接続する際、放熱部材３の内部に配線を行う必要があり、電線８の引き回しが複雑となる。その結果、ダウンライト器具６の組立性が悪くなる。
【０００７】
また、ＬＥＤ基板９への電線８の接続が半田等であるため、接着が不安定なものがあり、半田が外れた結果、電源回路がショートし、ダウンライト器具６の破壊を招く恐れがあった。
【０００８】
本発明は、従来の問題を解決するためになされたものであり、電線８の引き回しが複雑とはならず組立性にも優れ、半田等の接着不良を招かないダウンライト器具を提供することを目的とする。
【課題を解決するための手段】
【０００９】
本発明の照明器具は、放熱部材と、ＬＥＤ光源と受電端子部が実装されたＬＥＤ基板と、
ＬＥＤ基板を放熱部材に固定する取り付け部材と、を有し、ＬＥＤ基板が、放熱部材と取り付け部材との間に挟み込まれるように固定される照明器具において、取り付け部材は、放熱部材を貫通する貫通部と、貫通部の一端に受電端子部に接触する給電端子部と、貫通部の他端に電源コネクタと接続され給電端子部と導通する電源接続部とを有することを特徴とする。
【００１０】
また、給電端子部は、ＬＥＤ基板を放熱部材側へと押し付ける方向に作用するバネ性を有する照明器具であってもよい。
【００１１】
また、貫通部には、放熱部と係合する係合部が設けられている照明器具であってもよい。
【発明の効果】
【００１２】
本発明は、ＬＥＤ基板に電線を接続する際の接着不良を防ぎつつ、電線の引き回しが複雑とはならず組立性に優れたＬＥＤ照明器具を提供する。
【図面の簡単な説明】
【００１３】
【図１】従来のＬＥＤ照明器具の斜視図
【図２】従来のＬＥＤ照明器具の分解斜視図
【図３】実施形態１におけるＬＥＤ照明器具の分解斜視図
【図４】実施形態１における放熱部材の断面図
【図５】実施形態２における取り付け部材の斜視図
【発明を実施するための形態】
【００１４】
（実施形態１）
以下、ＬＥＤ照明器具１０の実施形態について図３〜図５を用いて説明を行う。なお、以下の実施形態においては、ＬＥＤ照明器具１０の構成の一例を示すものであって、本実施形態に記載の構成に限定するものではない。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
本実施形態１に示すＬＥＤ照明器具１０は、放熱部材２０と、ＬＥＤ光源３０と受電端子部４０が実装されたＬＥＤ基板５０と、ＬＥＤ基板５０を放熱部材２０に固定する取り付け部材７０と、を有し、ＬＥＤ基板５０が、放熱部材２０と取り付け部材７０との間に挟み込まれるように固定されたものである。
【００１７】
また、取り付け部材７０には、放熱部材２０を貫通する貫通部８０と、貫通部８０の一端に受電端子部４０に接触する給電端子部９０と、貫通部８０における給電端子部９０とは異なる他端に電源コネクタ１１０と接続され給電端子部９０と導通する電源接続部１００とを有する。
【００１８】
以下、構成物品について具体的に説明を行う。放熱部材２０は、ＬＥＤ基板５０からの熱を伝導し、放熱するものである。ＬＥＤ基板５０が取り付けられている面とは異なる側は、フィン構造となっており、放熱性をより高めている。主にアルミダイキャストが用いられているが、この他の放熱材料であってもよい。
【００１９】
また、放熱部材２０のＬＥＤ基板５０が取り付けられている面には、貫通穴６０が設けられている。この貫通穴６０には、後で説明をする取り付け部材７０の貫通部８０が挿入されるものである。この貫通穴６０は、図３においては四角形状であるが、これに限られるものではなく、円形、楕円形等、様々な形状であってよい。
【００２０】
ＬＥＤ基板５０の上には、ライン状に光を発光するライン状光源であって、ＬＥＤ基板５０の上に複数配列された複数のＬＥＤ光源３０と、ＬＥＤ光源３０を発光させるために必要な電力を供給するための回路等（図示せず）とが配置されている。複数のＬＥＤ光源３０は、ＳＭＤ型の発光素子であり、ＬＥＤ基板５０の上に等間隔で配置されている。
【００２１】
また、複数のＬＥＤ光源３０は、ＬＥＤ基板５０の上に等間隔に配置されているが、これに限らず、ＬＥＤ光源３０は、ＬＥＤ基板５０の表面全体にわたって形成された面光源であってもよい。また、ＬＥＤ光源３０は、ＬＥＤチップに蛍光体を塗布したＣＯＢ型の光源であってもよい。
【００２２】
ＬＥＤ基板５０は、例えば樹脂基板で構成され、略長方形の形状を有している。ＬＥＤ基板５０には、受電端子部４０が設けられ、この受電端子部４０は、電気を通電しやすくするため金属製の端子構造となっている。また、受電端子部４０は、後述する給電端子部９０と接触しやすくするため凸形状を有している。この受電端子部４０から供給された電力は、先にも述べた回路等（図示せず）を通り、ＬＥＤ光源３０に供給される。
【００２３】
給電端子部９０は、受電端子部４０に電力を供給する役目を果たしており、配線８１を介して電源線１４０と接続されている。この給電端子部９０は、受電端子部４０を放熱部材２０側へと押し付ける方向に力が作用するバネ性を有しているものであってもよい。バネ性を有することによって、給電端子部９０と受電端子部４０との接触性を良くし、電力の授受を確実に行うことが可能となる。
【００２４】
続いて、取り付け部材７０について説明を行う。取り付け部材７０には、ＬＥＤ基板５０を押さえ込むアーム７１と、給電端子部９０と、貫通部８０と、電源接続部１００が設けられている。
【００２５】
アーム７１は、ＬＥＤ基板５０の４辺のうち３辺を押さえ込める略コの字状である。このように３辺を有するアーム７１によってＬＥＤ基板５０を押さえ込むことで、ＬＥＤ基板５０の全体を均一に押さえ込むことが可能となる。均一にＬＥＤ基板５０を押さえ込むことによって、ＬＥＤ基板５０と放熱部材２０とを確実に密着させることが可能となり、放熱性能を向上させることができる。
【００２６】
ここでは、３辺を押さえ込むアーム７１を例に掲げたが、２辺を押さえ込むアーム７１、４辺を押さえ込むアーム７１であってもよい。また、アーム７１は、絶縁材料で構成されている。
【００２７】
貫通部８０は、アーム７１と同質材料で構成されており、アーム７１と一体構成されている。このアーム７１の内部は中空状であり、内部には、給電端子部９０に電気的に接続される配線８１が通されている。また、図３に示す貫通部８０は四角柱であるが、このような形状に限定されるものではなく、円形、楕円形、三角形など、どのような形状であってもよい。
【００２８】
この貫通部８０は、放熱部材２０の内部を前面から後面へと貫通している。放熱部材２０を貫通部８０が貫通することで、配線８１の引き回しが複雑にならず施工性が向上する。
【００２９】
配線８１は、給電端子部９０と電気的に接続され、導電材料で構成されている。この配線８１は、プリント基板上に導電材料が設けられたものであってもよいし、導電材料をむき出しにした、例えば、銅版等のみで構成されていてもよい。
【００３０】
また、放熱部材２０と取り付け部材７０には、第１係止部１２０が設けられている。第１係止部１２０は、取り付け部材７０に設けられた凸部１２１と、放熱部材２０に設けられた凸部１２２とが互いに係り合う構造となっている。この構造によって、電源接続部１００に電源コネクタ１１０を接続する際に、電源コネクタ１１０を電源接続部１００に押し込む方向に力を加えても、取り付け部材７０がずれ込むことなく、正確に電源接続部１
００と電源コネクタ１１０とを接続することが可能となる。
【００３１】
また、取り付け部材７０と配線８１には、第２係止部１３０が設けられている。第２係止部１３０は、取り付け部材７０に設けられた凸部１３１と、配線８１に設けられたに設けられた凸部１３２とが互いに係り合う構造となっている。この構造によって、取り付け部材７０を放熱部材２０の方向へ押し込む力を加えても、配線８１の凸部１３２が引っ掛かることでずれ込むことを防ぐことが可能となり、ＬＥＤ基板５０を放熱部材２０へ密着させることが可能となる。
【００３２】
電源コネクタ１１０は、通常一般的に用いられるコネクタであり、電源線１４０に直接接続されている。電源コネクタ１１０と電源接続部１００は取り付け取外しが可能な構造である。電源コネクタ１１０の外側は絶縁材料で覆われている。
（実施形態２）
実施形態１と同様の構造については説明を省略する。
【００３３】
図５に示すように、取り付け部材７０の貫通部８０がＬＥＤ基板５０に対して略平行になるように設けられている。このようにすることによって、器具全体の厚み方向の大きさを小さくすることが可能となる。近年、屋根裏の縮小に伴い、器具厚さの小さな製品が求められていることが背景にある。
【符号の説明】
【００３４】
１０  ＬＥＤ照明器具
２０  放熱部材
３０  ＬＥＤ光源
４０  受電端子部
５０  ＬＥＤ基板
６０  貫通穴
７０  取り付け部材
７１  アーム
８０  貫通部
８１  配線
９０  給電端子部
１００  電源接続部
１１０  電源コネクタ
１２０  第１係止部
１３０  第２係止部
１４０  電源線
【図１】
2015176707.tif 000003
【図２】
2015176707.tif 000004
【図３】
2015176707.tif 000005
【図４】
2015176707.tif 000006
【図５】
2015176707.tif 000007